(57)【要約】  水性で、少なくとも１つのアルキレングリコール、少なくとも１つの界面活性剤の１つ以上が約７から約２０のＨＬＢ値を持つ少なくとも１つの界面活性剤、圧縮ガス噴射剤、少なくとも１つの芳香剤、１つの緩衝系、水を含む、エアゾール臭気除去組成物が記述される。組成物には低分子量の１価アルコールは含有されない。組成物には、組成物全体を１００重量％として５．０％未満の揮発性有機成分（ＶＯＣ）が、又は別の表現では、芳香剤の有効芳香剤成分が重量％基準で含まれない状態で組成物全体を１００重量％として、０．１％未満のＶＯＣが含まれる。更に組成物は多くの圧力範囲で安定した噴霧速度を備えている。【選択図】図１
2013529971.tif 000002
【特許請求の範囲】
【請求項１】
（ａ）約０．１から約１０重量％の少なくとも１つのアルキレングリコールと、
（ｂ）約０．１から約４重量％の少なくとも１つの界面活性剤であって、前記少なくとも１つの界面活性剤の１つ以上が約７から約２０の親水親油バランス（ＨＬＢ）を持つものと、
（ｃ）室温で最大でおよそ１８０ｐｓｉｇとなる約０．１から約５重量％の圧縮ガス噴射剤と、
（ｄ）約０．０１から約５重量％の緩衝系と、
（ｅ）約０．０１から約１０重量％の少なくとも１つの芳香剤と、
（ｆ）差引残の水と、
を含む、エアゾール臭気処理水性組成物であって、
前記組成物が揮発性有機化合物成分を組成物１００重量％中５．０％未満含み、低分子量の１価アルコールを含まず、前記少なくとも１つの芳香剤が（ｉ）前記少なくとも１つの界面活性剤、（ｉｉ）前記少なくとも１つのアルキレングリコール、又は（ｉｉｉ）前記少なくとも１つの界面活性剤と前記少なくとも１つのアルキレングリコールによって可溶化され、前記組成物のｐＨが約４から約８である組成物。
【請求項２】
前記少なくとも１つのアルキレングリコールが約０．１から５重量％の量で存在する請求項１の組成物。
【請求項３】
前記少なくとも１つのアルキレンが約０．５から１．５重量％の量で存在する請求項１に記載の組成物。
【請求項４】
前記少なくとも１つのアルキレングリコールがプロピレングリコール、トリエチレングリコール、又はプロピレングリコールとトリエチレングリコールである請求項１の組成物。
【請求項５】
前記圧縮ガス噴射剤が約０．１から約３．５重量％で存在する請求項１の組成物。
【請求項６】
前記緩衝系がクエン酸、クエン酸化合物、又はクエン酸とクエン酸化合物の組み合わせである請求項１の組成物。
【請求項７】
前記緩衝系がクエン酸と、アルカリ金属のクエン酸塩、リン酸水素二カリウム、リン酸二水素カリウム、重炭酸ナトリウム及びアルカリ金属の水酸化物の少なくとも１つとである請求項１の組成物。
【請求項８】
前記緩衝系がクエン酸とクエン酸ナトリウムである請求項１の組成物。
【請求項９】
前記緩衝系がクエン酸とリン酸水素二カリウムである請求項１の組成物。
【請求項１０】
前記緩衝系がリン酸水素二カリウムとリン酸二水素カリウムである請求項１の組成物。
【請求項１１】
前記ＨＬＢが約９から約１８である請求項１の組成物。
【請求項１２】
前記ＨＬＢが約１２から約１６である請求項１の組成物。
【請求項１３】
前記少なくとも１つの非イオン性界面活性剤が、水素添加ひまし油エトキシレートと第二級アルコールエトキシレートである請求項１の組成物。
【請求項１４】
前記圧縮ガス噴射剤が、窒素、空気、亜酸化窒素、二酸化炭素、不活性ガス、又はそれら混合物である請求項１の組成物。
【請求項１５】
前記少なくとも１つのアルキレングリコールが約０．１から約３．０重量％のトリエチレングリコールと約０．１から約３．０重量％のプロピレングリコールを含む請求項１の組成物。
【請求項１６】
１つの防腐剤を更に含む請求項１の組成物。
【請求項１７】
（ａ）約０．１から約１０重量％のプロピレングリコール及び任意で少なくとも１つの追加のアルキレングリコールと、
（ｂ）約０．１から約４重量％の少なくとも１つの界面活性剤であって、前記少なくとも１つの界面活性剤が水素添加ひまし油エトキシレートと第二級アルコールエトキシレートを含む２つの非イオン性界面活性剤を含むものと、
（ｃ）室温で最大でおよそ１８０ｐｓｉｇとなる少なくとも窒素を含む約０．１から約５重量％の圧縮ガス噴射剤と、
（ｄ）約０．０１から約１０重量％の少なくとも１つの芳香剤と、
（ｅ）約０．０１から約５重量％の緩衝系と、
（ｆ）差引残の水と、
を含む、エアゾール臭気処理水性組成物であって、
前記組成物が揮発性有機化合物成分を組成物１００重量％中５．０％未満含み、低分子量の１価アルコールを含まず、前記少なくとも１つの芳香剤が前記２つの非イオン性界面活性剤と前記プロピレングリコールによって可溶化され、前記組成物のｐＨが約４から約８となる組成物。
【請求項１８】
前記少なくとも１つの追加アルキレングリコールとして、約０．１から約５重量％のトリエチレングリコールを更に含む請求項１７の組成物。
【請求項１９】
前記緩衝系がクエン酸と、アルカリ金属のクエン酸塩、リン酸水素二カリウム、リン酸二水素カリウム、重炭酸ナトリウムとアルカリ金属の水酸化物の内の少なくとも１つとである請求項１７の組成物。
【請求項２０】
前記緩衝系がクエン酸とクエン酸ナトリウムである請求項１７の組成物。
【請求項２１】
前記緩衝系がクエン酸とリン酸水素二カリウムである請求項１７の組成物。
【請求項２２】
前記緩衝系がリン酸水素二カリウムとリン酸二水素カリウムである請求項１７の組成物。
【請求項２３】
防腐剤を更に含む請求項１７の組成物。
【発明の詳細な説明】
【技術分野】
【０００１】
空気で伝達される悪臭を除去するためのエアゾール組成物が提供される。組成物は水性で、圧縮ガス、芳香剤、と少なくとも芳香剤用の可溶化システムを含む。組成物は低量かほぼゼロの揮発性有機成分（ＶＯＣ）を含有する。
【背景技術】
【０００２】
非常に様々な脱臭組成物が当技術分野では知られており、中でも最もありふれたものには悪臭を隠すための香水や芳香剤が含まれている。臭気マスキングはある臭気に別の臭気を加えることによって意図的にある臭気を覆い隠すことである。然し乍ら、香水や芳香剤で臭気を覆い隠すためには、一般的には、悪臭がもう目立たないか、適切に隠されることを確実にするための、高水準の芳香剤が必要とされ、マスキング技術は臭気源の除去や軽減については何の役にも立たない。エアゾール噴霧空気除菌剤は、空気で伝達される微生物を効果的に除菌し、空気で伝達される悪臭を軽減することが当技術分野では知られている。現在入手可能なエアゾール空気除菌剤の活性成分には様々なものがある。ある製品群は、プロピレングリコール、ジプロピレングリコール、トリエチレングリコールのようなグリコールに依存している。最も普及しているものは、エス．シー．  ジョンソン  アンド  サン、インコーポレイテッド（S.C.Johnson & Son, Inc.）によって販売されている製品のアウスト（OUST）（登録商標）の活性成分であるトリエチレングリコールである。トリエチレングリコール（ＴＥＧ）はある種の空気で伝達される細菌を殺菌することが知られている。ＴＥＧはまたエアゾール噴霧器での使用にも安全である。通常の炭化水素の噴射剤におけるＴＥＧの可溶性は一般的に低いものであるため、炭化水素噴射剤内でのＴＥＧ可溶性を上げるために、エタノールのような追加の溶媒がＴＥＧを主成分とするエアゾール組成物には添加される。エタノールは製品の揮発性を上げるためや、香気油のような他成分の可溶性を上げるために、共溶媒としても使用される。
【発明の概要】
【発明が解決しようとする課題】
【０００３】
しかしながら、通常の短い炭素鎖の脂肪族噴射剤との組み合わせでのエタノール及び他通常の溶媒の使用は、単相製剤の配合に含まれうるＴＥＧの量を制限してしまう。例えば、通常の炭化水素噴射剤を使用している単相製剤エアゾール組成物中のＴＥＧ濃度は、噴射剤３０重量％で残りはエタノールという状態で、６〜８重量％以下に制限されている。１２又は１５重量％を超える量でのＴＥＧ使用は、通常三相二相系となり、それによって消費者は連続的又は自動噴霧装置内の製剤を使用前そして使い切る前に、缶を強く振らなければならなくなる。混合を必要とする多相系製品は振ることを消費者が忘れてしまう場合が多いため、強く振ることを必要としない単相エアゾール製品は有利であり、また単相エアゾール製品の性能は混合に依存しないため、より均一でありうる。対照的に、混合を必要とする多相系エアゾール製品の効能は、特に利用者が缶を必要とされる程物理的に強く振ることができない場合はややむらになりうる。
【０００４】
エタノールも炭化水素噴射剤も揮発性のある有機化合物とみなされる。エアゾール空気除菌剤中の揮発性有機化合物の含有は、アメリカ合衆国環境保護庁（ＥＰＡ）やカリフォルニア州大気資源局（ＣＡＲＢ）のような連邦及び／又は州の規制機関によって規制される可能性がある。現在の単相のＴＥＧ主成分のエアゾール組成物は、典型的には９０重量％以上の揮発性有機化合物を含有している。ＴＥＧ含有率を上げることで、エアゾール組成物中の揮発性有機化合物の含有率を下げることも可能である。
【課題を解決するための手段】
【０００５】
エアゾール臭気除去組成物が提供される。エアゾール組成物は水性で、少なくとも１つのアルキレングリコール、少なくとも１つの界面活性剤、圧縮ガス噴射剤、少なくとも１つの芳香剤、緩衝系を含む。アルキレングリコール及び／又は界面活性剤は、芳香剤や、例えば防腐剤のように可溶性を求められるものとして含まれる他成分を可溶化することに役立つ。エアゾール臭気除去組成物は低分子量の１価アルコールを含有していない。組成物は低量かほぼゼロの揮発性有機化合物（ＶＯＣ）を含有する。更に組成物は、室温で１３０〜１８０ｐｓｉｇの圧力範囲で、実質的に均一な優れた噴霧速度を備えている。この圧力とは容器内の当初の圧力を指すと解釈される。圧力は製品寿命期間にわたって直線的な割合で下降する。然し乍ら、発明組成物は容器中のエアゾール寿命の少なくとも約７０から７５％の間は、実質的に均一な粒子サイズと噴霧速度を備えている。エアゾールの寿命期間中、容器の上部空間の変化により圧力低下は生じる。従って、エアゾール寿命の相当の期間にわたっての粒子サイズと噴霧速度の安定性は長所となる。
【０００６】
エアゾール臭気除去組成物の長所には、更に組成物が溶媒性（例；アルコール含有）ではなく水性であること、そしてそれにも関わらず組成物に含まれる１つ以上の芳香剤の可溶性をもたらし、単相組成物ならしめていることがある。組成物は表面に油っぽい降下物をもたらさず、均一な混合物を提供し、組成物中の活性成分の良好な分散に広い圧力範囲で均一な、又は実質的に均一な噴霧速度をもたらしている。
【０００７】
更にエアゾール組成物は、組成物全体を１００重量％として、５．０％未満の、望ましくは組成物全体に対し３．０％未満の、最も望ましくは１．０％未満の、更には０．５％未満の揮発性有機成分（ＶＯＣ）を有する。又は別の表現では、エアゾール組成物は、有効芳香剤成分が重量％基準で含まれない状態で組成物全体を１００重量％として、０．１％未満の、望ましくは０．０５％未満の、最も望ましくは有効芳香剤成分が含まれない状態で０．０１％未満のＶＯＣを有する。主として、溶媒としてのアルコール、及び噴射剤として炭化水素の必要性がない前提で、ＶＯＣは低量又はほぼゼロで提供される。
【０００８】
提供されるエアゾール組成物の緩衝系は、クエン酸及び／又はクエン酸化合物に基づくもの、すなわち、緩衝系はクエン酸のみか、１つのクエン酸化合物（例えば、アルカリ金属のクエン酸塩）のみ、又はクエン酸と１つのクエン酸化合物の組み合わせが望ましい。更には、リン酸水素二カリウムやリン酸二水素カリウムのような、アルカリ金属のリン酸水素塩のリン酸緩衝化合物や、又は、例えば水酸化ナトリウムや重炭酸ナトリウムのようなアルカリ金属の水酸化物やアルカリ金属の重炭酸塩のようなまた別の緩衝液成分は、それらだけでも有用であり、上記緩衝系のいずれとも組み合わせ利用可能である。クエン酸及び／又はクエン酸化合物のみを含む緩衝系は、リン含有成分は現在の又は潜在的な州又は国の規制に基づいて全ての地域で入手可能ではないため、リン含有成分を含まないことで、特に有利である。
【発明の効果】
【０００９】
従って、本出願に記述されている水性組成物は、リン含有化合物を含む必要無しに、十分に緩衝機能を備えうる組み合わせを提供する。クエン酸及び／又はクエン酸塩の緩衝系の他の長所には、組み入れられる際、組成物全体に対して変色をもたらさないこと、長期間にわたって安定的であり、長期の貯蔵保管寿命をもたらすことが含まれる。
【００１０】
エアゾール臭気除去組成物の新しい特徴と利点は、以下詳細記述の観点から更に理解されるであろう。
【図面の簡単な説明】
【００１１】
【図１】１７０，１６０，１５０ｐｓｉｇで評価された試料の平均噴霧速度を示すグラフである。
【図２】１７０，１６０，１５０ｐｓｉｇで評価された試料の粒子の平均質量中央径を示すグラフである。
【図３】時間経過における芳香剤の強度についての比較試験結果を示すグラフである。
【発明を実施するための形態】
【００１２】
本出願で提供されるエアゾール臭気除去組成物には、（ａ）少なくとも１つのアルキレングリコール、（ｂ）少なくとも１つの界面活性剤、（ｃ）室温で最大でおよそ１８０ｐｓｉｇとなる圧縮ガス噴射剤、（ｄ）緩衝系、（ｅ）少なくとも１つの芳香剤、（ｆ）水が含まれる。組成物には低分子量の１価アルコールは含まれない。組成物には、組成物全体を１００重量％として、５．０％未満の揮発性有機成分（ＶＯＣ）が、又は別の表現では、有効芳香剤物質の少なくとも１つの芳香剤が重量％基準で含まれない状態で組成物全体を１００重量％として、０．１％未満のＶＯＣが含まれる。芳香剤は界面活性剤か、アルキレングリコール、又は界面活性剤とアルキレングリコールの組み合わせにより可溶化される。組成物のｐＨは約４から約８であり、約５から約７であることが望ましい。
【００１３】
トリエチレングリコールやプロピレングリコールのような少なくとも１つのアルキレングリコールを含む水性エアゾール組成物を利用し、空気中の臭気除去が実現される。付加的臭気除去特性は、界面活性剤系、ｐＨ緩衝系、芳香剤化合物等、組成物中に含まれる他成分によるものであると考えられる。
【００１４】
エアゾール空気組成物中のアルキレングリコールが悪臭を抑える。アルキレングリコールを含むエアゾール小滴が臭気分子と相互作用するという臭気除去の仕組みは、まず悪臭を可溶化し、続いてエアゾール小滴として「レインアウト」することである。その後、悪臭と界面活性剤、芳香剤、ｐＨ安定化液滴との間で、化学的及び物理的反応が生じることになる。
【００１５】
エアゾール製品が噴霧されると、液滴の細かい霧が空気中に分散される。分散された液滴は相当な表面積を持ち、空気中に存在する悪臭化合物を可溶化し始める。この最初の臭気分子の除去は、気液分配に支配されている。分配は気相の臭気が液滴へ移動し、その系の分配係数により支配される平衡を確立する平衡過程である。この過程は、平衡定数を、次の式にあるように、ある液体中に溶存する気体量とその気体の気相における分圧の比と定義するヘンリーの法則によって記述可能である。
2013529971.tif 000003
ここでは、Ｋはヘンリーの法則の定数として知られている平衡定数、ｐは溶液上の臭気の分圧、ｃは溶液中の臭気の濃度である。
【００１６】
気体／粒子分配が生じると、エアゾール粒子は空気中から沈降し始める。この「レインアウト」と呼ばれる沈降過程は液滴が空気中から落ち始めることで生じる。このレインアウト過程は小滴に既に吸収された又は吸着された悪臭を共に運び去り、そのことによって空気中からそれら悪臭を除去する。
【００１７】
一旦臭気分子が液滴に吸収されると、いくつかある二次機構の１つが更に悪臭と相互作用し、エアゾール液滴内から再放出されることを制限する。臭気除去の二次過程には、界面活性剤系による悪臭の可溶化、酸−塩基化学反応による中和、及び／又は芳香剤分子との化学的相互作用が関与する。
【００１８】
エアゾール組成物中の界面活性剤系の存在により、エアゾール小滴上では薄膜として、又はエアゾール小滴内部ではミセル構造として、自律会合した界面活性剤構造が形成可能となる。これらの界面活性剤構造は典型的には芳香剤を液滴に可溶化するときに利用されるが、液滴に分配している悪臭分子とも相互作用しうる。この相互作用が、悪臭の可溶化を液滴内部で、又は液滴表面と空気の界面で可能にする。自律会合構造による臭気の可溶化は、気相における悪臭濃度の減少をもたらし、更には臭気除去を可能にする。
【００１９】
エアゾール系のｐＨは約４から約８であり、これは緩衝系の利用によってもたらされている。エアゾール粒子中の緩衝液は酸−塩基化学反応によって可溶化された悪臭と相互作用し、臭気を更に中和する。例えば、エアゾール粒子によって可溶化されたアンモニアのようなアミン系悪臭は、緩衝系の存在により遊離アミンの一部をアンモニウムイオンにイオン化させうる。リン酸緩衝系の場合には、アンモニウムイオンはその後リン酸アンモニウムを形成しうるが、その蒸気圧は遊離アミンより相当低い、そのため粒子より再放出されることは起こりにくい。
【００２０】
エアゾール小滴中に悪臭分子と共に可溶化された芳香剤分子の存在により、２つの分子間で相互作用が生じうる。いくつかのありふれた芳香剤成分は悪臭分子と相互作用し、より不快度の低い臭気の形成をすることが広く知られている。この相互作用は悪臭が吸収された後に小滴内か、又はエアゾール使用中にエアゾールから放出される芳香剤分子によって生じうる。
【００２１】
臭気除去機構全体は、臭気分子のエアゾール小滴への可溶化とそれにひき続く空気からのエアゾール粒子の「レインアウト」である。可溶化された臭気はその後、更に、界面活性剤系による二次的可溶化、酸−塩基化学反応による中和、及び／又は芳香剤分子との化学的相互作用を含む１つ以上の二次的過程によって除去されうる。
【００２２】
エアゾール臭気除去組成物のアルキレングリコール成分については、少なくとも１つのアルキレングリコールが、組成物の約０．１から約１０重量％の量で、望ましくは約０．１から約５重量％の量で、最も望ましくは約０．５から約１．５重量％の量で含まれる。アルキレングリコール成分は、組成物が使用される環境から臭気を除去することに役立つだけでなく、例えば、組成物の水性担体中に含まれるが溶けない芳香剤、防腐剤や他成分を可溶化するために、組成物の可溶化系成分としても役立つ。
【００２３】
記述されたエアゾール臭気除去組成物中での使用に適したアルキレングリコールには、例えば、トリエチレングリコール、プロピレングリコール、ジプロピレングリコール、及びそれらの混合物のような、モノ−、ジ−、トリ−アルキレングリコールが含まれる。望ましい混合物は約０．１から約０．３重量％のトリエチレングリコールと約０．１から約０．３重量％のプロピレングリコールである。
【００２４】
界面活性剤については、臭気除去組成物には少なくとも１つの界面活性剤が、組成物の約０．１から約４重量％の量で、望ましくは約０．１から約２重量％の量で、そして最も望ましくは約０．１から約１．０重量％の量で含まれる。界面活性剤は単独で可溶化剤として、又はアルキレングリコールとの併用で、芳香剤や防腐剤の成分として、又は組成物の水性担体中に溶けずに存在しうる他成分として役立つ。少なくとも１つの界面活性剤には、約７から約２０の、望ましくは約９から約１８の、そして最も望ましくは約１２から約１６の親水親油バランス（ＨＬＢ）を備えた１つ以上の界面活性剤が含まれる。それ以外の点で使用に適切な界面活性剤は、非イオン性、陰イオン性、両性、陽イオン性、又はこれらの組み合わせでも構わない。界面活性剤は上述した範囲のＨＬＢを備えた１つ以上の非イオン性界面活性剤が望ましい。
【００２５】
記述のエアゾール臭気除去組成物中での使用に適切な非イオン性界面活性剤には、例えば、高級アルコールアルコキシレート、アルコキシ化多価アルコール脂肪酸エステル；アルキルポリグルコシド；脂肪酸アルカノールアミドを含むアルカノールアミド；高級アルコールポリアルキレングリコールエーテル；オキソアルコールポリアルキレングリコールエーテル；アルキルフェノールポリアルキレングリコールエーテル；高級アルコールポリ−ポリグリコールエーテル（例えば、エチレンオキシド／プロピレンオキシド付加化合物）；アルキルジメチルアミンオキシドのようなアルコキシ化化合物だけではなく、例えばエチレンオキシド／プロピレンオキシドのブロック共重合体のような非イオン性重合体も含まれる。アルコキシ成分はエトキシが望ましい。
【００２６】
含有に適切な非イオン性界面活性剤の具体的な望ましい例には、エチレンオキシド３−６単位を備えた第二級Ｃ６−Ｃ１７アルコールエトキシレートのような、アルキルオキシポリエチレンオキシエタノール；水素添加ひまし油エトキシレート；オクチルフェノールエトキシレート；アルキルポリグルコシド；ポリエチレングリコールココアミン；及びその他同種類のものがある。
【００２７】
使用に適切な陰イオン性界面活性剤には、石鹸、アルキルベンゼンスルホン酸塩、アルカンスルホン酸塩、アルファオレフィンスルホン酸塩；アルファスルホ脂肪酸メチルエステル；高級アルコール硫酸塩、又はアルキル硫酸塩；高級アルコールエーテル硫酸塩及びオキソアルコールエーテル硫酸塩を含むアルキルエーテル硫酸塩；及びその他同種類のものだけではなく、これらの組み合わせを含む。
【００２８】
使用に適切な両性界面活性剤には、アルキルベタイン、アルキルスルホベタインやその他同種類のものだけではなく、これらの組み合わせも含まれる。
【００２９】
使用に適切な陽イオン性界面活性剤には、テトラアルキルアンモニウムクロリドやその他同種類のものだけではなく、これらの組み合わせも含まれる。
【００３０】
圧縮ガス噴射剤については、圧縮ガスは約０．１から約５重量％の量で、望ましくは約０．１から約３．５重量％の量で、最も望ましくは約０．１から約１．０重量％の量で含まれる。圧縮ガス噴射剤は記載された量で、容器内圧力が許容可能な噴霧を提供するに十分な時に、適切な粒子サイズと噴霧速度を製品寿命期間にわたって提供することに役立つ。当初の容器圧力は、室温で約１３０から約１８０ｐｓｉｇの範囲でよい。圧力は製品寿命期間にわたって直線的に減少する。然し乍ら、本発明の組成物はエアゾール寿命の少なくとも約７０から約７５％の間、しっかりと安定した粒子サイズと噴霧速度を維持する。このより高い圧力は、エアゾール粒子のより良い分散をもたらし、より小さいサイズの液滴を実現する。粒子サイズは、圧力ガスに対し通常許容範囲内、例えば、製品寿命の大半（すなわち、製品寿命の約１００から約５０％）、約６０−８０ミクロン、製品寿命末期（すなわち、製品寿命の約５０から約１０％）には約９０−１００ミクロンであることが望ましい。
【００３１】
エアゾール臭気除去組成物に含有が適切な圧縮ガスには、例えば、窒素、空気、二酸化炭素、亜酸化窒素、不活性ガス、及びそれらの組み合わせがある。本発明に有用な噴射剤は非炭化水素である。
【００３２】
組成物の緩衝系については、緩衝系は組成物の約０．０１から約５重量％の量で、望ましくは約０．１から約３．０重量％の量で、最も望ましくは約０．１から約１．０重量％の量で含まれる。望ましい実施形態における緩衝系はクエン酸のみか、クエン酸化合物のみ、又はクエン酸とクエン酸化合物の組み合わせから構成される。クエン酸及び／又はクエン酸塩の緩衝系は、長期間にわたって安定的であり、基礎となる組成物を変色させることなく、望ましい緩衝機能を提供する。安定性は組成物の長期保管寿命を実現することに重要である。
【００３３】
代替の緩衝成分も、上述のクエン酸及び／又はクエン酸化合物との組み合わせだけではなく、単独又は組み合わせで、緩衝系として利用可能である。そのような代替成分の例には、リン酸水素二カリウム及び／又はリン酸二水素カリウムのようなアルカリ金属のリン酸化合物；例えば重炭酸ナトリウムのようなアルカリ金属の重炭酸塩；及び、例えば水酸化ナトリウムのようなアルカリ金属の水酸化物が含まれる。
【００３４】
エアゾール臭気除去組成物の芳香剤成分については、消費者によって知覚可能で、少なくとも空気で伝達される悪臭の大部分を処理する芳香剤をもたらすに十分な量で含まれてよい。芳香剤は完全に空気で伝達される悪臭を隠すだけでなく、消費者によって知覚される芳香剤をもたらす量で存在することが望ましい。発明の一実施形態では、芳香剤は約０．０１から約１０重量％の範囲の量で、望ましくは約０．０１から約５重量％の範囲の量で、最も望ましくは約０．０１から約３重量％の範囲の量で含まれる。
【００３５】
芳香剤は通常、それぞれが特有の香気感覚を備えた、多くの芳香剤原料の混合物から構成される。芳香剤中の芳香剤原料の数は、一般的には１０以上である。使用される芳香剤原料の範囲は様々である。原料は様々な化学物質群からなり、一般的には水に対して不溶性の油である。多くの例では、芳香剤原料の分子量は１５０を超えるが、３００以下である。
【００３６】
芳香剤は１つ以上の芳香剤材料、又は化学的活性のある蒸気を提供する材料を含む。発明の一実施形態では、芳香剤は、天然植物抽出物、エッセンス、香気油、合成芳香剤材料、等が含まれるがこれらに限定されない揮発性のある芳香剤化合物から成り、且つ／又はその化合物を含む。当技術分野で知られているように、多くの精油及び他の天然植物由来成分は高い揮発性を持つ香りを多く含んでいる。この点では、多くの精油、エッセンス、香気濃縮物は、香料及び食品業界にある会社より普通に入手可能である。代表的な油と抽出物には、次の植物由来のものが含まれるがこれらに限定されるものではない。アーモンド、アミリス、アニス、アルモアズ、ベルガモット、カブリューバ、カレンデュラ、カナンガ、シダー、カモミール、ココナッツ、ユーカリ、フェンネル、ジャスミン、ジュニパー、ラベンダー、レモン、オレンジ、パーム、ペパーミント、クアッシア、ローズマリー、タイム、等。芳香剤原料は芳香剤の「活性」成分とみなされる。芳香剤は芳香剤材料用の担体を含んでも含まなくともよい。
【００３７】
エアゾール除去組成物は水性である。したがって、他成分との組み合わせで組成物全体をなす場合に１００％とするための差引残量として水が含まれる。水は、逆浸透水、脱イオン水、水道水、又はその他同種類のもので構わない。逆浸透水の利用が望ましい。
【００３８】
全組成物の揮発性有機成分（ＶＯＣ）は、組成物の成分を１００重量％として、５．０％未満、望ましくは３．０％未満、最も望ましくは１．０％未満、更には０．５％未満である。あるいは、全組成物のＶＯＣは、有効芳香剤材料が重量％基準で含まれない状態で組成物全体を１００重量％として、０．１％未満、望ましくは０．０５％未満、最も望ましくは０．０１％未満である。
【００３９】
組成物のｐＨは約４から約８、望ましくは約５から約７である。
【００４０】
一般的に芳香剤はｐＨ依存があり、添加される対象組成物を変色させ、その組成物の安定性を乱しうる。したがって、組成物を安定化するためには芳香剤成分を可溶化することが重要である。芳香剤は部分的に、あるいは全体として油として通常存在するため、水性系は芳香剤を可溶化するには問題である。過去には、エタノールのような揮発性のある溶媒が可溶化に提供されてきたが、それは必然的に組成物により高いＶＯＣをもたらすことになる。エアゾール除去組成物では、芳香剤可溶化に揮発性のある溶媒は提供されない。むしろ芳香剤可溶化は、少なくとも１つの非イオン性界面活性剤及び／又は少なくとも１つのアルキレングリコールによって実現される。このようにして、組成物のＶＯＣは低レベルに維持されている。発明のエアゾール除去組成物には、アルコールや他揮発性溶媒は含まれない。従って、組成物のＶＯＣは、本質的に芳香剤成分と、揮発性成分を含んでいるかもしれない、例えば防腐剤のような添加成分のものとなる。エアゾール臭気処理組成物中に含まれることが知られている他添加物も、本出願に記述の制限にあう程度まで、本出願に記述されている組成物に含まれてもよい。
【００４１】
基部容器とバルブ及びアクチュエータを備えた噴霧ヘッドを含む噴霧ディスペンサは、一般的な材料から組み立て可能である。容器はアルミニウム製が望ましく、噴霧ヘッドは全て、または実質全てがプラスチック製であることが望ましい。容器は室温で内圧約１３０から約１８０ｐｓｉｇに耐える。噴霧ヘッドは容器中身を、細かい、または細かく分れた粒子又は小滴形状で分散させるように組み立てる必要がある。上述のごとく、圧縮ガスエアゾール用の粒子サイズの通常許容範囲は、容器寿命の実質大部分（即ち、寿命の約１００から約５０％）にわたって約６０から約８０ミクロンで、容器寿命末期（即ち、約５０から約１０％）では約９０−１００ミクロンである。
【００４２】
吐出時のエアゾール臭気除去組成物の平均噴霧速度は、一般的な範囲で約０．５から約２．５ｇ／ｓｅｃ、中間的範囲で約０．７５から約２．２５ｇ／ｓｅｃ、望ましい範囲で約１から約２ｇ／ｓｅｃ、より望ましい範囲で約１．１から約１．９ｇ／ｓｅｃ、最も望ましい範囲で約１．２から約１．８ｇ／ｓｅｃである。平均噴霧速度はエアゾール組成物試料を提供し、考えられる範囲の上限で許容可能な噴霧性能を確実にするため、様々な高圧状態にするように圧力をかけることで決定される。具体的な例では、６つの同一試料からなる３グループを提供し、窒素ガスで１５０ｐｓｉｇ、１６０ｐｓｉｇ、１７０ｐｓｉｇまで圧力をかけ、マルバーンマスターサイザーＳ体積基準粒子分析装置を使ってそれぞれの試料を噴霧試験する。マルバーン分析装置によって、試料として抽出された体積の１０％、５０％、９０％が測定粒子径以下である粒子径について、体積径の比と定義されているザウター平均粒径（ＳＭＤ）と質量中央径（ＭＭＤ）が得られる。試験試料は１００％充填状態の缶から２５％充填状態の缶まで１００％、７５％、５０％、２５％の間隔で測定データを取りながら、噴霧された。
【００４３】
発明組成物の噴霧性能を具体的に説明するため、組成物がかけられる噴霧試験、その試験結果と共に、望ましい組成物が以下述べられる。結果は様々な圧力範囲で、噴霧速度は安定的であることを示している。
【００４４】
噴霧速度評価
【００４５】
下記試験の目的は、標準的な容器、標準的製造によるグレンコー（Glencoe type）型のアクチュエータキャップを１５０ｐｓｉｇ、１６０ｐｓｉｇ、１７０ｐｓｉｇの高圧下で使用し、エアゾール臭気除去組成物の噴霧性能を評価することである。圧縮ガスエアゾール用に許容可能な噴霧パターンを得るため、アクチュエータは機械的分散ユニット（メカニカルブレークアップユニット（ＭＢＵ））を備えていなければならない。ＭＢＵの機能は容器から液体製品が吐出される際、製品を分散することである。発明組成物は、特定のアクチュエータ構造ではなく、組成物自体の構成について、本出願に記述の様々な面で噴霧の改善をもたらしている。然し乍ら、記述の本組成物の噴霧性能はＭＢＵの１つ以上の内部機構を変えることによって最大化可能である。そのような機構には、例えば、口径（室内噴霧用には約０．０１０インチから約０．０１５インチであることが望ましい）、噴孔間距離（land length）、回転室径（spin chamber diameter）、回転室奥行（spin chamber depth）、噴出路数（number of channels）（接線方向）、噴出路奥行（channel depth）、噴出路幅（channel width）、及び同種類のものを含む。
【００４６】
考えられる圧力範囲の上限で許容可能な噴霧性能を確実にするために、様々な高圧状態に加圧された下記組成物を含むエアゾール試料について噴霧試験が実施された。試料はシークウィスト（Seaquist）アクチュエータ（参照番号ＧＬ０００１５８、口径０．０１２インチを有するモデルＤＵ３０２０）で組み立てられている。６試料からなる３グループが１５０ｐｓｉｇ、１６０ｐｓｉｇ、１７０ｐｓｉｇへ窒素で加圧され、マルバーンマスターサイザーＳ体積基準粒子分析装置を使用して噴霧試験された。マルバーン分析装置によって、試料として抽出された体積の１０％、５０％、９０％が測定粒子径以下である粒子について、体積径と表面積径の比と定義されているザウター平均粒径（ＳＭＤ）と質量中央径（ＭＭＤ）が得られた。試験試料は１００％充填状態の缶から２５％充填状態の缶まで１００％、７５％、５０％、２５％の間隔で測定データを取りながら、噴霧された。噴霧速度はまた、ストップウォッチと測定値を確認するための分析用天秤を使用し、マルバーン分析装置から独立した状態で計算された。
【００４７】
図１で呈示されているように、それぞれの圧力グループ（即ち、１７０ｐｓｉｇ、１６０ｐｓｉｇ、１５０ｐｓｉｇ）の噴霧速度は、互いに比較したところ非常に近いものであり、各噴霧間隔で約０．１グラム／秒以内であった。粒子サイズ毎の噴霧試験結果（図２を参照）は、また５０％での粒子質量中央径（ＭＭＤ）が、各圧力グループを比較すると、一貫して近いことを示し、噴霧中それぞれのデータポイントにおいて約５μｍ以内であることを示した。
【００４８】
噴霧試験結果は下の表１、２、３と図１、２に、１７０ｐｓｉｇ、１６０ｐｓｉｇ、１５０ｐｓｉｇに加圧された６つの試験単位についてそれぞれ呈示されている。試験試料の中身は回収され、ｐＨについて解析された。測定されたｐＨは７．３であった。組成式は以下であった。
【００４９】
試験組成物１（発明品）
構成成分 重量％
逆浸透水                                                        95.93
トリエチレングリコール（９８％）                                 1.0
窒素ガス                                                         0.68
プロピレングリコール                                             0.5
芳香剤                                                           0.5
水素添加ひまし油６０エトキシレート                               0.47
リン酸水素二カリウム                                             0.32
第二級Ｃ６−Ｃ１７アルコールエトキシレート（３−６ＥＯ）           0.28
リン酸二水素カリウム                                             0.17
防腐剤*                                                          0.15
100%

*２−メチル−４−イソチアゾリン−３−オン
【００５０】
【表１】
2013529971.tif 000004
【００５１】
【表２】
2013529971.tif 000005
【００５２】
【表３】
2013529971.tif 000006
【００５３】
許容差の下限、即ち１３３ｐｓｉｇの圧力下の組成物での噴霧速度の安定性を具体的に示すため、表４の試験結果と共に下記４つの発明組成物が試験された。
【００５４】
試験組成物１−上述
2013529971.tif 000007
・２−メチル−イソチアゾリン−３―オン
【００５５】
【表４】
2013529971.tif 000008
【００５６】
試験組成物３と、「ファブリーズ（登録商標）エアエフェクト（登録商標）」スプリング＆リニューアル（商標）という名前でプロクター・アンド・ギャンブル社から市販されているエアスプレーについての官能検査も実施された。評価は比較に基づく時間経過に伴う芳香剤の強度の測定であった。
【００５７】
試験方法では訓練された強度審査員団が登用された（試験会毎に８００立方フィートの部屋に１９人の審査員が出席。審査員団は部屋に小グループ（１グループ当たり４−５名）で入室した。審査員は製品ペアを査定した。試験には２製品について３通りの無作為化が使用された。芳香剤の寿命を知るため、製品はそれぞれ１回分４グラムとして休息剤（refreshing）無しで処方された。評価は最初の処置の後５分から開始し１０分おきに４５分間にわたって行われた）。芳香剤は１０分間の間隔で、７を最高強度として０から７の段階で格付けされ、格付けはその後、芳香剤強度格付け番号を提供するため平均化された。試験試料の芳香剤格付けは以下の表５にて呈示され、図３ではグラフとして呈示されている。
【００５８】
【表５】
2013529971.tif 000009
【００５９】
両組成物とも強度は同じ割合で減少した。図３に示されるように、ファブリーズ（登録商標）組成物は、方向的には発明の試験組成物３よりも低い。
【００６０】
本出願にて開示されている代表的な実施形態は、余すところ無く完全なものであることも、発明の範囲を不必要に限定することを意図したものではない。代表的な実施形態は、本発明の原理を説明し、当技術分野の他技術者が発明を実施しうるようにするために、選び記述されたものである。当技術分野の技術者には明白であるように、前記述範囲内で様々な改造は可能である。当技術分野の技術者の能力範囲内であるそのような改造は本発明の一部を成し、添付特許請求の範囲に包含される。
【図１】
2013529971.tif 000010
【図２】
2013529971.tif 000011
【図３】
2013529971.tif 000012
【手続補正書】
【提出日】平成25年2月19日(2013.2.19)
【手続補正１】
【補正対象書類名】特許請求の範囲
【補正対象項目名】全文
【補正方法】変更
【補正の内容】
【特許請求の範囲】
【請求項１】
（ａ）約０．１から約１０重量％の少なくとも１つのアルキレングリコールと、
（ｂ）約０．１から約４重量％の少なくとも１つの界面活性剤であって、前記の少なくとも１つの界面活性剤の１つ以上が約７から約２０の親水親油バランス（ＨＬＢ）を持つものと、
（ｃ）室温で最大でおよそ１８０ｐｓｉｇとなる約０．１から約５重量％の圧縮ガス噴射剤と、
（ｄ）約０．０１から約５重量％の緩衝系と、
（ｅ）約０．０１から約１０重量％の少なくとも１つの芳香剤と、
（ｆ）差引残の水と、
を含む、エアゾール臭気処理水性組成物であって、
前記組成物が二相系組成物で、揮発性有機化合物成分を組成物１００重量％中５．０％未満含み、低分子量の１価アルコールを含まず、前記少なくとも１つの芳香剤が（ｉ）前記少なくとも１つの界面活性剤、（ｉｉ）前記少なくとも１つのアルキレングリコール、又は（ｉｉｉ）前記少なくとも１つの界面活性剤と前記少なくとも１つのアルキレングリコールによって可溶化され、前記組成物のｐＨが約４から約８である組成物。
【請求項２】
（１）噴霧ヘッドを含む定量吐出容器、及び（２）前記容器からの吐出用組成物を含む定量吐出容器との組み合わせで用いられる悪臭処理用エアゾール組成物であって、前記組成物は１００重量％基準で、
（ａ）約０．０１から約１０重量％の少なくとも１つの芳香剤成分と、
（ｂ）約０．１から約５重量％の圧縮ガス噴射剤と、
（ｃ）約０．０１から約５重量％の緩衝系と、
（ｄ）約０．１から約１０重量％の少なくとも１つのアルキレングリコールと、
（ｅ）約０．１から約４重量％の少なくとも１つの界面活性剤であって、前記少なくとも１つの界面活性剤の１つ以上が約７から約２０の親水親油バランス（ＨＬＢ）を有するものと、
（ｆ）任意で、防腐剤、抗微生物剤、腐食抑制剤、ｐＨ調整剤からなるグループから選択される少なくとも１つの補助剤と、
（ｇ）差引残の水と、
を含み、
前記組成物は（ｉ）単層組成物であり、（ｉｉ）組成物を１００重量％として５．０％未満の揮発性有機成分を含み、且つ
前記容器の圧力は室温で当初約１３０から約１８０ｐｓｉｇの範囲にあり、組成物寿命期間にわたって直線的な割合で下降し、前記組成物は前記容器から約０．５ｇ／ｓｅｃから約２．５ｇ／ｓｅｃの噴霧速度で、組成物寿命の１００％から約５０％の期間にわたって約６０から約８０ミクロンの質量中央径を持つエアゾール粒子として、また組成物寿命の約５０％から約１０％に期間にわたっては約９０から約１００ミクロンの質量中央径を持つエアゾール粒子として吐出される組成物。
【請求項３】
前記組成物が低分子量の１価アルコールを含まない請求項２の組成物。
【請求項４】
前記少なくとも１つのアルキレングリコールが約０．１から５重量％の量で存在する請求項１、２又は３の組成物。
【請求項５】
前記少なくとも１つのアルキレングリコールが約０．５から１．５重量％の量で存在する請求項１、２又は３の組成物。
【請求項６】
前記少なくとも１つのアルキレングリコールがプロピレングリコール、トリエチレングリコール、又はプロピレングリコールとトリエチレングリコールである請求項１、２又は３の組成物。
【請求項７】
前記圧縮ガス噴射剤が約０．１から約３．５重量％で含まれる請求項１、２又は３の組成物。
【請求項８】
前記緩衝系がクエン酸、クエン酸化合物、又はクエン酸とクエン酸化合物の組み合わせである請求項１、２又は３の組成物。
【請求項９】
前記緩衝系がクエン酸と、アルカリ金属のクエン酸塩、リン酸水素二カリウム、リン酸二水素カリウム、重炭酸ナトリウム及びアルカリ金属の水酸化物の少なくとも１つである請求項１、２又は３の組成物。
【請求項１０】
前記緩衝系がクエン酸とクエン酸ナトリウムである請求項１、２又は３の組成物。
【請求項１１】
前記緩衝系がクエン酸とリン酸水素二カリウムである請求項１、２又は３の組成物。
【請求項１２】
前記緩衝系がリン酸水素二カリウムとリン酸二水素カリウムである請求項１、２又は３の組成物。
【請求項１３】
前記ＨＬＢが約９から約１８である請求項１、２又は３の組成物。
【請求項１４】
前記ＨＬＢが約１２から約１６である請求項１、２又は３の組成物。
【請求項１５】
前記のなくとも１つの非イオン性界面活性剤が、水素添加ひまし油エトキシレートと第二級アルコールエトキシレートである請求項１、２又は３の組成物。
【請求項１６】
前記圧縮ガス噴射剤が、窒素、空気、亜酸化窒素、二酸化炭素、不活性ガス、又はそれら混合物である請求項１、２又は３の組成物。
【請求項１７】
前記少なくとも１つのアルキレングリコールが約０．１から約３．０重量％のトリエチレングリコールと約０．１から約３．０重量％のプロピレングリコールを含む請求項１、２又は３の組成物。
【請求項１８】
１つの防腐剤を更に含む請求項１、２又は３の組成物。
【請求項１９】
（ａ）約０．１から約１０重量％のプロピレングリコール及び任意で少なくとも１つの追加のアルキレングリコールと、
（ｂ）約０．１から約４重量％の少なくとも１つの界面活性剤であって、前記少なくとも１つの界面活性剤が水素添加ひまし油エトキシレートと第二級アルコールエトキシレートを含む２つの非イオン性界面活性剤を含むものと、
（ｃ）室温で最大でおよそ１８０ｐｓｉｇとなる少なくとも窒素を含む約０．１から約５重量％の圧縮ガス噴射剤と、
（ｄ）約０．０１から約１０重量％の少なくとも１つの芳香剤と、
（ｅ）約０．０１から約５重量％の緩衝系と、
（ｆ）差引残の水と、
を含む、エアゾール臭気処理水性組成物であって、
前記組成物が単層組成物で、揮発性有機化合物成分を組成物１００重量％中５．０％未満含み、低分子量の１価アルコールを含まず、前記少なくとも１つの芳香剤が前記２つの非イオン性界面活性剤と前記プロピレングリコールによって可溶化され、前記組成物のｐＨが約４から約８となる組成物。
【請求項２０】
前記少なくとも１つの追加アルキレングリコールとして、約０．１から約５重量％のトリエチレングリコールを更に含む請求項１９の組成物。
【請求項２１】
前記緩衝系がクエン酸と、アルカリ金属のクエン酸塩、リン酸水素二カリウム、リン酸二水素カリウム、重炭酸ナトリウムと水酸化ナトリウムの少なくとも１つである請求項１９の組成物。
【請求項２２】
前記緩衝系がクエン酸とクエン酸ナトリウムである請求項１９の組成物。
【請求項２３】
前記緩衝系がクエン酸とリン酸水素二カリウムである請求項１９の組成物。
【請求項２４】
前記緩衝系がリン酸水素二カリウムとリン酸二水素カリウムである請求項１９の組成物。
【請求項２５】
防腐剤を更に含む請求項１９の組成物。
【請求項２６】
前記噴霧速度が約０．７５から約２．２５ｇ／ｓｅｃである請求項２又は３の組成物。
【請求項２７】
前記噴霧速度が約１から約２ｇ／ｓｅｃである請求項２又は３の組成物。
【請求項２８】
前記噴霧速度が約１．１から約１．９ｇ／ｓｅｃである請求項２又は３の組成物。
【請求項２９】
前記噴霧速度が約１．２から約１．８ｇ／ｓｅｃである請求項２又は３の組成物。
【国際調査報告】
2013529971.tif 000013
2013529971.tif 000014
2013529971.tif 000015